(57)【要約】【課題】プローブ検査の際に相隣り合うピン状端子にプローブピンを接触させてしまい、検査を正確に行うことができないといった問題を解消したコネクタ装置等を提供する。【解決手段】ケーブル側コネクタと基板側コネクタを含む。ケーブル側コネクタは、ハウジングと、各ケーブルの一端にそれぞれ接続されケーブル側ハウジングにそれぞれ設置される、ピン状の接触部を有した複数のケーブル接続端子を有する。基板側コネクタは、ハウジングと、複数の端子収容空間のそれぞれに収容される被収容部と、端子収容空間の開口を通じて外部に延出し基板に固定した状態で使用される延出部と、をそれぞれ含む複数の基板固定端子を有する。被収容部は、端子収容空間の内部に弾性変位可能に設けられケーブル側コネクタと基板側コネクタの接続時にピン状の接触部と弾性接触し得る弾性接触片と、端子収容空間の開口を実質的に閉じる閉塞部とを有する。【選択図】図７
2020187945.tif 000002
【特許請求の範囲】
【請求項１】
ケーブル側コネクタと基板側コネクタを含むコネクタ装置であって、
前記ケーブル側コネクタは、
ケーブル側ハウジングと、
各ケーブルの一端にそれぞれ接続され、且つ、前記ケーブル側ハウジングにそれぞれ設置される、ピン状の接触部を有した複数のケーブル接続端子と、を有し、
前記基板側コネクタは、
基板側ハウジングと、
前記基板側ハウジングに設けた複数の端子収容空間のそれぞれに収容される被収容部と、前記端子収容空間の開口を通じて外部に延出し基板に固定した状態で使用される延出部と、をそれぞれ含む複数の基板固定端子と、を有し、
前記被収容部は、
前記端子収容空間の内部に弾性変位可能に設けられ、前記ケーブル側コネクタと前記基板側コネクタの接続時に前記ピン状の接触部と弾性接触し得る弾性接触片と、
前記端子収容空間の開口を実質的に閉じる閉塞部と、を有することを特徴とするコネクタ装置。
【請求項２】
前記閉塞部は、前記開口を形成する面に沿って前記基板固定端子の板状部の一部を略Ｌ字状に折り曲げることによって形成されている、請求項１に記載のコネクタ装置。
【請求項３】
前記閉塞部は、２つの部分を含む、請求項２に記載のコネクタ装置。
【請求項４】
前記２つの部分は、それぞれ、前記ケーブル側コネクタと前記基板側コネクタの接続方向に沿う方向と、複数の前記端子収容空間の開口の配列方向との双方に直交する方向に沿って、合わせ目を形成するように折り曲げられている、請求項３に記載のコネクタ装置。
【請求項５】
前記２つの部分は、前記開口において対称形状を有する、請求項４に記載のコネクタ装置。
【請求項６】
前記基板固定端子は一枚の金属板から成る、請求項１乃至５のいずれかに記載のコネクタ装置。
【請求項７】
前記基板固定端子の被収容部は略箱状である、請求項１乃至６のいずれかに記載のコネクタ装置。
【請求項８】
前記被収容部は、前記接続方向に沿う方向における、前記端子収容空間の前記ケーブル側コネクタと前記基板側コネクタとの接続側において、前記基板側ハウジングの内部に実質的に収容されている、請求項１乃至７のいずれかに記載のコネクタ装置。
【請求項９】
前記基板側ハウジングは、
前記ケーブル側コネクタと前記基板側コネクタの接続時に前記ケーブル側ハウジングの一部が挿入される挿入空間と、
前記ケーブル側ハウジングの一部が挿入される挿入方向に沿う方向において、前記挿入空間よりも前記挿入方向に向って前記ケーブル側ハウジングの奥に位置付けられた、複数の前記端子収容空間が形成された内部ハウジングを有する、請求項１乃至８のいずれかに記載のコネクタ装置。
【請求項１０】
請求項１乃至９のいずれかに記載のコネクタ装置に用いる前記基板側コネクタ。
【発明の詳細な説明】
【技術分野】
【０００１】
本発明は、ケーブル側コネクタと基板側コネクタとを有するコネクタ装置、更に言えば、ピン状の接触部を有した複数の端子と、該ピン状の接触部と接触する弾性接触片を有した複数の端子とを用いる上記コネクタ装置、及び、該コネクタ装置に用いる基板側コネクタに関する。
【背景技術】
【０００２】
自動車その他の車両機器等、振動や衝撃を受けやすい環境下で使用されるコネクタ装置では、コネクタに設けた端子間の接触信頼性を高めるため、ピン状の接触部を有した端子（以下、便宜上、「ピン状端子」と呼ぶ）と、該ピン状の接触部と接触させる、振動等の吸収が可能な弾性接触片を有した端子（以下、便宜上、「弾性端子」と呼ぶ）とを組み合わせて用いることが多い。
【０００３】
この場合、特許文献１その他多くの文献に示されるように、一般に、ピン状端子は基板側コネクタに使用され、一方、弾性端子はケーブル側コネクタに使用される。これは、ピン状端子については、そのピン状の部分を基板側コネクタのハウジングの樹脂と一体成型することによって容易に且つ安価に製造することができるといった加工上の理由、また、樹脂と一体成型することによってピン状端子とハウジングとの間の隙間を埋め、防塵、防水機能を高めることができるといった機能上の理由等による。
【先行技術文献】
【特許文献】
【０００４】
【特許文献１】特開２００７−１３４２１７号公報
【発明の概要】
【発明が解決しようとする課題】
【０００５】
特に、基板側コネクタについては、製造後、基板接続の確認のため、いわゆるプローブ検査が行われることが多い。プローブ検査は、基板側コネクタのハウジングに配列されたピン状端子の１つ１つにプローブピンと呼ばれる極細の検査針を接触させることによって行われる。
【０００６】
近年、コネクタ装置の小型化が進んでいるが、この結果、このようなプローブ検査の際に、相隣り合うピン状端子にプローブピンを接触させてしまい、検査を正確に行うことが困難になっているといった問題が生じている。
本発明の目的は、上記の問題点を解消したコネクタ装置等を提供することにある。
【課題を解決するための手段】
【０００７】
上記の課題を解決するため、本発明の一態様によるコネクタ装置は、ケーブル側コネクタと基板側コネクタを含むコネクタ装置であって、前記ケーブル側コネクタは、ケーブル側ハウジングと、各ケーブルの一端にそれぞれ接続され、且つ、前記ケーブル側ハウジングにそれぞれ設置される、ピン状の接触部を有した複数のケーブル接続端子と、を有し、前記基板側コネクタは、基板側ハウジングと、前記基板側ハウジングに設けた複数の端子収容空間のそれぞれに収容される被収容部と、前記端子収容空間の開口を通じて外部に延出し基板に固定した状態で使用される延出部と、をそれぞれ含む複数の基板固定端子と、を有し、前記被収容部は、前記端子収容空間の内部に弾性変位可能に設けられ前記ケーブル側コネクタと前記基板側コネクタの接続時に前記ピン状の接触部と弾性接触し得る弾性接触片と、前記端子収容空間の開口を実質的に閉じる閉塞部と、を有することを特徴として有する。また、本発明によれば、このコネクタ装置に用いる基板側コネクタが提供される。
この構成によれば、プローブ検査が必要とされる基板側コネクタに、ピン状の接触部を有した端子ではなく、弾性接触片を有した端子を使用していることから、プローブ検査の際に、プローブピンをより容易に且つ確実に接触させることができる。また、この場合、弾性接触片を有した端子を収容させるために設けた端子収容空間の開口から粉塵やポッティング材が流入して、端子の電気的な接触を妨げてしまうおそれがあるが、弾性接触片を有する端子に、端子収容空間の開口を実質的に閉じる閉塞部を設けたことにより、端子を端子収容空間に収容するだけで、そのような隙間を閉塞して、防塵、防水機能を高めることができる。また、防水性、耐振性を高めるために、ポッティング材を付与する場合にも、ポッティング材が開口から流入することを効果的に防止することができる。
【０００８】
上記態様のコネクタ装置において、前記閉塞部は、前記開口を形成する面に沿って前記基板固定端子の板状部の一部を略Ｌ字状に折り曲げることによって形成されていてもよい。
【０００９】
また、上記態様のコネクタ装置において、前記閉塞部は、２つの部分を含んでいてもよい。
【００１０】
更に、上記態様のコネクタ装置において、前記２つの部分は、それぞれ、前記ケーブル側コネクタと前記基板側コネクタの接続方向に沿う方向と、複数の前記端子収容空間の開口の配列方向との双方に直交する方向に沿って、合わせ目を形成するように折り曲げられてもよい。
【００１１】
更にまた、上記態様のコネクタ装置において、前記２つの部分は、前記開口において対称形状を有するのが好ましい。
この構成によれば、開口を通じて基板固定端子を圧入等によって組み込む際に、これら２つの部分を利用して、基板固定端子５０の後側部分に均一に力を加えることが容易となり、組み込み作業をより安定した状態で且つより確実に行うことができる。
【００１２】
また、上記態様のコネクタ装置において、前記基板固定端子は一枚の金属板から成るのが好ましい。
【００１３】
上記態様のコネクタ装置において、前記基板固定端子の被収容部は略箱状であってもよい。
【００１４】
上記態様のコネクタ装置において、前記被収容部は、前記接続方向に沿う方向における、前記端子収容空間の前記ケーブル側コネクタと前記基板側コネクタとの接続側において、前記基板側ハウジングの内部に実質的に収容されているのが好ましい。
この構成によれば、プローブ検査の際に、相隣り合う端子にプローブピンを接触させてしまうことをより効果的に防止することができる。
【００１５】
上記態様のコネクタ装置において、前記基板側ハウジングは、前記ケーブル側コネクタと前記基板側コネクタの接続時に前記ケーブル側ハウジングの一部が挿入される挿入空間と、前記ケーブル側ハウジングの一部が挿入される挿入方向に沿う方向において、前記挿入空間よりも前記挿入方向に向って前記ケーブル側ハウジングの奥に位置付けられた、複数の前記端子収容空間が形成された内部ハウジングを有するのが好ましい。
【発明の効果】
【００１６】
本発明によれば、上記の問題点を解消したコネクタ装置及び基板側コネクタが提供される。
【図面の簡単な説明】
【００１７】
【図１】嵌合後の本発明によるコネクタ装置をケーブル側コネクタの側から見た斜視図である。
【図２】図１のコネクタ装置を基板側コネクタの側から見た斜視図である。
【図３】図１のコネクタ装置の側面図である。
【図４】嵌合前のケーブル側コネクタを、ケーブル側コネクタと基板側コネクタの接続側から見た斜視図である。
【図５】図４のケーブル側コネクタを、ケーブル側コネクタと基板側コネクタの接続側とは反対側から見た斜視図である。
【図６】嵌合前の基板側コネクタを、ケーブル側コネクタと基板側コネクタの接続側から見た斜視図である。
【図７】図６の基板側コネクタを、ケーブル側コネクタと基板側コネクタの接続側とは反対側から見た斜視図である。
【図８】図６の基板側コネクタの正面図である。
【図９】ケーブル接続端子の一例を概略的に示した側面図及び正面図である。
【図１０】基板固定端子を上方から見た斜視図である。
【図１１】図１０の基板固定端子を底側から見た斜視図である。
【図１２】図７の部分拡大図である。
【発明を実施するための形態】
【００１８】
以下、添付図面を参照しつつ、本発明の好適な一つの実施形態について説明する。説明の便宜のため好適な実施形態のみを示すが、勿論、これによって本発明を限定しようとするものではない。
【００１９】
図１乃至図３に、本発明によるコネクタ装置１の一例を示す。コネクタ装置１は、ケーブル側コネクタ２と基板側コネクタ４の組を含む。図１は、ケーブル側コネクタ２の側から見たコネクタ装置１の斜視図、図２は、基板側コネクタ４の側から見たコネクタ装置１の斜視図、図３は、コネクタ装置１の側面図である。図１乃至図３は全て、ケーブル側コネクタ２と基板側コネクタ４を嵌合させた状態で、且つ、ケーブル側コネクタ２にケーブル３を接続した状態で、コネクタ装置１を示している。
【００２０】
図４、図５に、ケーブル側コネクタ２のみの斜視図を示す。図４は、ケーブル側コネクタ２を基板側コネクタ４との接続側（Ｘ）（以下、「前側」という）から見た斜視図、図５は、ケーブル側コネクタ２を基板側コネクタ４との接続側（Ｘ）とは反対側（Ｙ）（以下、「後側」という）から見た斜視図である。
【００２１】
更に、図６、図７に、基板側コネクタ４のみの斜視図を示す。図６は、これを前側（Ｘ）から見た斜視図を、図７は、これを後側（Ｙ）から見た斜視図である。更に、図８に、基板側コネクタ４の正面図を示す。
【００２２】
ケーブル側コネクタ２は、ケーブル側ハウジング２０と、ケーブル側ハウジング２０にそれぞれ設置される複数のケーブル接続端子３０（図４、及び、後述する図９によく示されている）とを有する。
【００２３】
ケーブル側ハウジング２０は、ケーブル側コネクタ２と基板側コネクタ４の接続時に後側（Ｙ）に配置される略矩形の本体２０Ａと、前側（Ｘ）に配置される断面矩形枠状の枠体突出部２０Ｂとを含む。枠体突出部２０Ｂは、本体２０Ａから前側（Ｘ）に向って「α」方向に沿って延びている。ケーブル側コネクタ２と基板側コネクタ４の嵌合時には、枠体突出部２０Ｂは、基板側コネクタ４の所定部分に挿入され、図１乃至図３に示すように、本体２０Ａのみが外部に露出される。枠体突出部２０Ｂの内側壁には、ケーブル側コネクタ２と基板側コネクタ４の嵌合時にケーブル側コネクタ２を案内するためのガイド用の突起２３Ａが、「α」方向に沿って設けられている。
【００２４】
本体２０Ａには、各ケーブル接続端子３０に対応して複数の端子収容空間２４が設けられている。各端子収容空間２４は、「α」方向と直交する断面（「β−γ」面）において略矩形状を成しており、本体２０Ａを「α」方向に沿って貫通し、更に、枠体突出部２０Ｂの挿入空間２３と連通している。これらの端子収容空間２４は、本体２０Ａの幅方向「β」に沿って、少なくとも１列、本実施形態では本体２０Ａの高さ方向「γ」において複数段、例えば、本実施形態では２段（２４Ａ、２４Ｂ）設けられている。端子収容空間２４のグループ２４Ａ、２４Ｂをこのように複数段設けた場合には、ケーブル接続端子３０同士が接触することを避けるため、図示実施形態のように、上位段に配列された端子収容空間のグループ２４Ａと、下位段に配列された端子収容空間２４Ｂのグループを、千鳥状に配列するのが好ましい。これらの端子収容空間２４Ａ、２４Ｂにはそれぞれ、ケーブル接続端子３０が１つずつ挿入、固定される。
【００２５】
図９に、ケーブル接続端子３０の一例を示す。図９の（ａ）は、ケーブル接続端子３０の概略をケーブル３の一端に接続した状態で示した側面図、図９の（ｂ）は、その正面図である。
ケーブル接続端子３０は、端子収容空間２４に収容された際に後側（Ｙ）に配置される本体３１と、本体３１から前側（Ｘ）に突出させたピン状の接触部３２を含む。尚、本発明でいうところの「ピン状」とは、必ずしも細長い形状のものだけを意味するものではなく、板厚方向には小さな寸法を有するが、板面方向にある程度の大きさを有しているものも含まれる。
【００２６】
本体３１は、中間の一部を除き、端子収容空間２４の断面形状に対応して断面（「β−γ」面）において略矩形状を成し、その後側においてケーブル３の一端に接続される。本体３１は、ケーブル３の一端に接続された状態で、端子収容空間２４に挿入された後、リテーナ２９を利用して、そこに固定される。各端子収容空間２４へのケーブル接続端子３０の挿入は、ケーブル側コネクタ２と基板側コネクタ４の接続方向「α１」に沿って、後側（Ｙ）から前側（Ｘ）に向って行われる。本体３１には、リテーナ２９に係止される固定片３１ａが設けられている。端子収容空間２４に本体３１が完全に固定されたとき、ピン状の接触部３２は、ケーブル側ハウジング２０の枠体突出部２０Ｂによって形成された挿入空間２３に中空状態で配置される。尚、リテーナ２９を利用した固定方法は、よく知られているため、ここでは詳細には説明しない。
【００２７】
基板側コネクタ４は、基板側ハウジング４０と、この基板側ハウジング４０にそれぞれ設置される複数の基板固定端子５０（図６乃至８、及び、後述する図１０によく示されている）とを有する。
【００２８】
基板側ハウジング４０は、基板側ハウジング４０の外殻を形成する略矩形箱状の外部ハウジング４１と、この外部ハウジング４１の内部に設けられ、ケーブル側コネクタ２と基板側コネクタ４の接続時に後側（Ｙ）に配置される略矩形箱状の内部ハウジング４２を含む。内部ハウジング４２の後側（Ｙ）は、外部ハウジング４１と「β−γ」面方向において連結されている。一方、内部ハウジング４２の前側（Ｘ）は、「β−γ」面方向において内部ハウジング４２の外壁と外部ハウジング４１の内壁との間に断面矩形枠状の隙間４５を形成した状態で「α」方向に沿って延びている。
【００２９】
外部ハウジング４１には、ケーブル側コネクタ２と基板側コネクタ４の接続時にケーブル側ハウジング２０の一部、即ち、枠体突出部２０Ｂが挿入される挿入空間４３が形成されている。枠体突出部２０Ｂを挿入空間４３へと案内するため、枠体突出部２０Ｂの外側壁にはガイド用の突起２１Ａが、これに対応して、外部ハウジング４１の挿入空間４３を形成する内側壁にはガイド用の溝４１Ａが、それぞれ、「α」方向に沿って設けられている。内部ハウジング４２は、「α」方向において、挿入空間４３よりも挿入方向「α１」に向ってケーブル側ハウジング２０の奥に位置付けられている。内部ハウジング４２の外側壁には、枠体突出部２０Ｂの内側壁に設けたガイド用の突起２３Ａに対応して、「α」方向に沿ってガイド用の溝４２Ａが設けられている。
【００３０】
内部ハウジング４２には、各基板固定端子５０に対応して、複数の端子収容空間４４が設けられている。各端子収容空間２４は、「α」方向と直交する断面（「β−γ」面）において略矩形状を成し、内部ハウジング４２を「α」方向に沿って貫通している。また、各端子収容空間２４は、その前側（Ｘ）において外部ハウジング４１の挿入空間４３と連通し、また、その後側（Ｙ）において、後側（Ｙ）に設けた開口４４Ａを通じて外部アクセス可能な状態とされている。これらの端子収容空間４４にはそれぞれ、基板固定端子５０が１つずつ挿入、設置される。端子収容空間４４は、ケーブル側コネクタ２の端子収容空間２４や、これに設置されるケーブル接続端子３０に対応する位置に、対応する数だけ設けられている。
【００３１】
図１０、図１１に、基板固定端子５０の一例を示す。図１０は、基板固定端子５０を上方から見た斜視図、図１１は、これを底側から見た斜視図である。基板固定端子５０は、本実施形態のように、一枚の金属板を打ち抜き、折り曲げることによって形成されているのが好ましい。一枚の金属板を用いることにより、不要な隙間が生じることを防ぐこともできる。基板固定端子５０は、端子収容空間４４に収容される被収容部である略箱状の本体５１と、幅狭板状の脚５２を含む。
【００３２】
脚５２は、本体５１から延出している部分であって、本体５１を端子収容空間４４に収容した後も、端子収容空間４４の開口４４Ａを通じて外部に延出する。脚５２は、側面視略Ｚ字状に折り曲げられており、基板側に延びる垂直部５２Ａと、基板に半田等によって固定することができる固定部５２Ｂを含む。尚、防水性、耐振性を高めるため、脚５２付近には、ポッティング材を付与するのが好ましい。基板に対する基板側コネクタ４の固定力を強化するため、補強金具６０を設けて、これを基板に半田付けしてもよい。
【００３３】
本体５１は、端子収容空間４４に収容された際に前側（Ｘ）に配置される前部５１Ａと、後側（Ｙ）に配置され、端子収容空間４４に固定される後部５１Ｂを含む。前部５１Ａ及び後部５１Ｂ共に、端子収容空間４４の断面形状に対応して断面（「β−γ」面）略矩形状を成しており、また、これらはともに、端子収容空間４４に挿入される。
【００３４】
端子収容空間４４に基板固定端子５０が収容された際、本体５１は、その前側（Ｘ）において、基板側ハウジング４０、特に、その内部ハウジング４２の内部に実質的に収容される。ここで「実質的に収容される」とは、本体５１の全ての部分が「α」方向において端子収容空間４４の内部に収容され、端子収容空間４４の外部に露出していないことを意味する。このような構造とすることにより、プローブ検査の際に、相隣り合う端子にプローブピンを接触させてしまうことをより効果的に防止することができる。
【００３５】
基板固定端子５０の前部５１Ａは、主に、底板部５５と、両側側面から立ち上げた対向する２つの側板部５６ａと、更に、一方の側板部５６ａとのみ連結されている上板部５９とを含む。四方を囲むこれらの板部によって、本体５１の内部に、挿入部５４が形成される。ケーブル側コネクタ２と基板側コネクタ４の接続時には、この挿入部５４にケーブル接続端子３０のピン状の接触部３２が挿入される。上板部５９は、前側（Ｘ）に舌片状に延出した弾性接触部５３Ａとして形成されている。弾性接触部５３Ａは、上板部５９から挿入部５４の内部に向って多少折り曲げられることにより、挿入部５４内に弾性変位可能な状態で設けてある。挿入部５４にピン状の接触部３２が挿入されたとき、接触部３２と弾性接触部５３Ａが弾性接触し、この結果、ケーブル接続端子３０と基板固定端子５０は電気的に接続される。挿入部５４への接触部３２の挿入方向のずれを修正するため、前部５１Ａの前側（Ｘ）にはガイド部５３Ｂが設けられている。ガイド部５３Ｂの先端５３Ｂａは挿入部５４の内部へ向って逆Ｕ字状に湾曲されており、このガイド部５３Ｂによって、接触部３２を挿入部５４へと案内できるようになっている。ガイド部５３Ｂは、前側（Ｘ）において比較的広い面積部分を有することから、プローブ検査時にプローブピンを接触させることを容易にする被接触部としても使用することができる。従って、この構成によれば、相隣り合う端子にプローブピンを接触させてしまうことをより効果的に防止することができる。
【００３６】
基板固定端子５０の後部５１Ｂは、前部５１Ａの側板部５６ａと連続している一対の側板部５６ｂを含む。基板固定端子５０は、この後部５１Ｂにおいて、端子収容空間４４に圧入され固定される。
【００３７】
後部５１Ｂの後側（Ｙ）の部分に、端子収容空間４４に基板固定端子５０が収容された際に、端子収容空間４４の開口４４Ａを実質的に閉じる閉塞部５７が設けられている。ここで「実質的に閉じる」とは、閉塞部５７を利用して開口４４Ａを閉塞することにより、開口４４Ａを通じた、端子収容空間４４又は基板固定端子５０の挿入部５４内への粉塵等の流入、また、脚５２付近に付与したポッティング材の流入を効果的に防止することができる程度に隙間なく閉じることを意味する。従って、多少の隙間が生じても、何ら問題はない。本構成によれば、開口４４Ａは、このような閉塞部５７を有する基板固定端子５０を端子収容空間４４に収容させるだけで、実質的に閉じることができる。
【００３８】
図１２に、閉塞部５７付近における図７の部分拡大図を示す。閉塞部５７は、図示実施形態に示すように、開口４４Ａを形成する「β−γ」面に沿って、基板固定端子５０の板状部、例えば、一対の側板部５６ａのそれぞれの一部を略Ｌ字状に折り曲げることによって形成してもよい。この場合、一対の側板部５６ａのそれぞれによって形成される２つの部分５７Ａ、５７Ｂは、それぞれ、ケーブル側コネクタと前記基板側コネクタの接続方向「α１」に沿う方向「α」と、複数の端子収容空間４４の開口４４Ａの配列方向「β」との双方に直交する方向「γ」に沿って、合わせ目５８を形成するように折り曲げられる。
【００３９】
また、これら２つの部分５７Ａ、５７Ｂは、図示実施形態に示すように、開口４４Ａにおいて対称形状を有するのが好ましい。基板固定端子５０は、開口４４Ａを通じて端子収容空間４４に圧入等によって組み込まれるが、閉塞部５７を対称形状で設けることにより、これら２つの部分５７Ａ、５７Ｂを利用して、基板固定端子５０の後側部分に均一に力を加えることが容易となり、組み込み作業をより安定した状態で且つより確実に行うことができる。
【００４０】
最後に、ケーブル側コネクタ２と基板側コネクタ４の接続方法を説明する。接続時には、先ず、ケーブル側ハウジング２０の枠体突出部２０Ｂが、基板側ハウジング４０の挿入空間４３に、枠体突出部２０Ｂのガイド用の突起２１Ａ、及び、これに対応して設けた、外部ハウジング４１のガイド用の溝４１Ａを利用して挿入される。挿入方向は、ケーブル側コネクタ２と基板側コネクタ４の接続方向「α１」と同じ方向である。挿入が進むと、枠体突出部２０Ｂが、内部ハウジング４２の外壁と外部ハウジング４１の内壁との間に形成された隙間４５に挿入される。また、これと略同時に、内部ハウジング４２の外側壁に設けたガイド用の溝４２Ａに、枠体突出部２０Ｂの内側壁に設けたガイド用の突起２３Ａが嵌り、これによって、ケーブル側コネクタ２は基板側コネクタ４に「α」方向に沿ってより安定した状態で案内される。更に挿入が進むと、基板側コネクタ４に設けた基板固定端子５０の挿入部５４に、ケーブル側コネクタ２のケーブル接続端子３０のピン状の接触部３２が挿入され、接触部３２は、基板固定端子５０の弾性接触片５３Ａと弾性接触し、この結果、ケーブル接続端子３０と基板固定端子５０は電気的にも接続される。
【００４１】
尚、本発明は、上述した実施の形態に限定されるわけではなく、その他種々の変更が可能である。
例えば、上に説明した実施形態では、閉塞部５７を２つの部分５７Ａ、５７Ｂから形成していたが、必ずしも２つの部分から形成する必要はなく、１つの部分のみによって閉じてもよい。また、基板固定端子５０の板状部を折り曲げる方向は、必ずしも、「γ」方向に沿う方向とする必要はなく、例えば、「β」方向に沿う方向としてもよい。
【００４２】
本発明の更に別の態様、特徴及び効果は、本発明を実施するよう意図された最良の態様を含めて、多数の特定の実施形態及び実施例を示すだけで、以下の詳細な説明から容易に明らかとなろう。又、本発明は、他の及び異なる実施形態で構成することもでき、そしてその多数の細部は、本発明の精神及び範囲から逸脱せずに、種々の明らかな観点において変更することができる。従って、図面及び説明は、例示に過ぎず、これに限定されるものではない。
【符号の説明】
【００４３】
１  コネクタ装置
２  ケーブル側コネクタ
３  ケーブル
４  基板側コネクタ
２０  ケーブル側ハウジング
２０Ａ  本体
２０Ｂ  枠体突出部
２３  挿入空間
２４  端子収容空間
３０  ケーブル接続端子
３１  本体（被挿入部）
３２  ピン状の接触部
４０  基板側ハウジング
４１  外部ハウジング
４３  挿入空間
４２  内部ハウジング
４４  端子収容空間
４４Ａ  開口
５０  基板固定端子
５１  本体（被収容部）
５２  脚（延出部）
５３Ａ  弾性接触片
５４  挿入部
６０  固定金具
【図１】
2020187945.tif 000003
【図２】
2020187945.tif 000004
【図３】
2020187945.tif 000005
【図４】
2020187945.tif 000006
【図５】
2020187945.tif 000007
【図６】
2020187945.tif 000008
【図７】
2020187945.tif 000009
【図８】
2020187945.tif 000010
【図９】
2020187945.tif 000011
【図１０】
2020187945.tif 000012
【図１１】
2020187945.tif 000013
【図１２】
2020187945.tif 000014